(57)【特許請求の範囲】
【請求項１】
座部と、
座部の後方に対し回動可能に設けられた背部と、
座部の前方に対し回動可能に設けられたステップと、
背部の下方に一端側が回動可能に取り付けられステップの背面に他端側が回動可能に取り付けられた連動バーと、
背部に回動自在に設けられたヘッドレストと、
座部に対し背部が寝た状態で、ヘッドレストを起こすヘッドレスト連結機構とを備え、
ヘッドレスト連結機構は、
背部の背面に回動可能に取り付けられた回動覆体と、一端側に回動覆体の側面に設けられた長孔にスライド可能な回動軸が設けられ、他端側がヘッドレストに回動可能に取り付けられた連結部材と、一端側を座部に回動可能に取り付けられ他端側が背部に設けられた多段の係合凹部に係合するコの字状の支持バーとを有し、
連動バーは、全体がコの字状を有し、背部の下方に回動可能に取り付けられる一端側は、コの字の両先端がＬ字状に屈曲して背部の回動孔に回動自在に嵌合しており、ステップの背面に回動可能に取り付けられる他端側は、コの字の中央辺がステップの背面に回動可能に保持されていることを特徴とする幼児用着座装置。
【請求項２】
座部と、
座部の後方に対し回動可能に設けられた背部と、
座部の前方に対し回動可能に設けられたステップと、
背部の下方に一端側が回動可能に取り付けられステップの背面に他端側が回動可能に取り付けられた連動バーと、
背部に回動自在に設けられたヘッドレストと、
座部に対し背部が寝た状態で、ヘッドレストを起こすヘッドレスト連結機構とを備え、
ヘッドレスト連結機構は、
背部の背面に回動可能に取り付けられた回動覆体と、一端側に回動覆体の側面に設けられた長孔にスライド可能な回動軸が設けられ、他端側がヘッドレストに回動可能に取り付けられた連結部材と、一端側を座部に回動可能に取り付けられ他端側が背部に設けられた多段の係合凹部に係合するコの字状の支持バーとを有し、
連動バーの一端側が回動可能に取り付けられる背部の下方は、左右が板状で凸の円弧状に形成され、この背部の下方を受ける座部の側は、左右が凹の円弧状に形成され、前記左右の凸の円弧状の部分は、互いに向かい合う内側の面が、座部から露出し、この露出した部分には突起部が形成されており、この突起部に連動バーの回動孔が形成されていることを特徴とする幼児用着座装置。
【請求項３】
座部に対し背部がほぼ同一面状態に寝た状態では、座部に対しステップの略Ｌ字状の縦断面の縦辺部分がほぼ同一面状態に持ち上がる位置に、連動バーの取り付けがなされ、よって座部、背部、およびステップの全体がほぼ水平状態になることを特徴とする請求項１または２のいずれか記載の幼児用着座装置。
【請求項４】
座部には左右に肘掛け部分が一体的に設けられ、背部には前記肘掛け部分に連続して左右に囲い部分が一体的に設けられ、ステップは略Ｌ字状の縦断面を有し、よって背部が寝た状態で、幼児の周囲が肘掛け部分、囲い部分、ヘッドレスト、およびステップのＬ字状の下辺部分により取り囲まれることを特徴とする請求項１または２のいずれか記載の幼児用着座装置。
【請求項５】
座部の前方に設けられたステップは、略Ｌ字状の縦断面を有し、略Ｌ字状の縦辺部分が寸法調節可能な構成になっていることを特徴とする請求項１または２のいずれか記載の幼児用着座装置。
【請求項６】
ステップは、座部に取り付けられ略Ｌ字状の上部を構成するステップ本体と、ステップ本体をガイドとして下方にスライドして伸びることができ略Ｌ字状の下部を構成するスライド部分とからなり、スライド部分には、ステップ本体に対し係合し前記スライドを阻止する係合機構、およびこの係合を解除する解除レバーが設けられたことを特徴とする請求項１または２のいずれか記載の幼児用着座装置。
【発明の詳細な説明】
【０００１】
【発明の属する技術分野】
この発明は、ベビーカーや幼児用椅子などの幼児用着座装置に関し、特に、座った幼児が足を乗せるためのステップの構造に関する。
【０００２】
【従来の技術】
従来、幼児用着座装置には種々のものが存在する。例えば、主に外出時に屋外で使用されるベビーカー、屋内で用いられる幼児用椅子と同様に脚部に設けられた車輪によって室内を移動できる幼児用椅子、あるいはテーブルなどで食事をする際に用いられるラックなどである。
【０００３】
なお、この明細書中で、幼児とは一般にいう幼児よりも広い概念を有するものとし、育児用着座装置を必要とする者であれば新生児、乳児、児童を含むものとする。
【０００４】
従来の幼児用着座装置は、座部の後方に背部が回動可能に設けられたものが一般的である。そして、着座した幼児が前方にずれてしまわなようにベルトが備えられている。また、下部の前方にステップが設けられるものも存在するが、このステップは固定式であり、幼児が寝た状態ではなく、起きて食事をする際の状態において足が乗せられる位置に固定して設けられていた。
【０００５】
【発明が解決しようとする課題】
しかしながら、ステップが設けられていない従来の幼児用着座装置においては、背部が立てられ幼児が起きた状態において足が不安定な状態で空中に投げ出されており、適性な着座姿勢が保持できにくいものであった。
【０００６】
また、ステップが固定された従来の幼児用着座装置においては、座部に対する背部の傾斜角度が様々に変えられるにも拘らず、ステップの位置は１つに固定されており、幼児の様々な姿勢を快適な位置に保持することが難しかった。
【０００７】
この発明は、以上の問題点を解決するために成されたもので、座部に対する背部の回動角度が種々に変化しても、常に幼児の姿勢を適性に保持することができる幼児用着座装置を提供することを目的とする。
【０００８】
【課題を解決するための手段】
本発明は、座部と、座部の後方に対し回動可能に設けられた背部と、座部の前方に対し回動可能に設けられたステップと、背部の下方に一端側が回動可能に取り付けられステップの背面に他端側が回動可能に取り付けられた連動バーと、背部に回動自在に設けられたヘッドレストと、座部に対し背部が寝た状態で、ヘッドレストを起こすヘッドレスト連結機構とを備え、ヘッドレスト連結機構は、背部の背面に回動可能に取り付けられた回動覆体と、一端側に回動覆体の側面に設けられた長孔にスライド可能な回動軸が設けられ、他端側がヘッドレストに回動可能に取り付けられた連結部材と、一端側を座部に回動可能に取り付けられ他端側が背部に設けられた多段の係合凹部に係合するコの字状の支持バーとを有し、連動バーは、全体がコの字状を有し、背部の下方に回動可能に取り付けられる一端側は、コの字の両先端がＬ字状に屈曲して背部の回動孔に回動自在に嵌合しており、ステップの背面に回動可能に取り付けられる他端側は、コの字の中央辺がステップの背面に回動可能に保持されていることを特徴とする幼児用着座装置である。
【０００９】
本発明は、座部と、座部の後方に対し回動可能に設けられた背部と、座部の前方に対し回動可能に設けられたステップと、背部の下方に一端側が回動可能に取り付けられステップの背面に他端側が回動可能に取り付けられた連動バーと、背部に回動自在に設けられたヘッドレストと、座部に対し背部が寝た状態で、ヘッドレストを起こすヘッドレスト連結機構とを備え、ヘッドレスト連結機構は、背部の背面に回動可能に取り付けられた回動覆体と、一端側に回動覆体の側面に設けられた長孔にスライド可能な回動軸が設けられ、他端側がヘッドレストに回動可能に取り付けられた連結部材と、一端側を座部に回動可能に取り付けられ他端側が背部に設けられた多段の係合凹部に係合するコの字状の支持バーとを有し、連動バーの一端側が回動可能に取り付けられる背部の下方は、左右が板状で凸の円弧状に形成され、この背部の下方を受ける座部の側は、左右が凹の円弧状に形成され、前記左右の凸の円弧状の部分は、互いに向かい合う内側の面が、座部から露出し、この露出した部分には突起部が形成されており、この突起部に連動バーの回動孔が形成されていることを特徴とする幼児用着座装置である。
【００１０】
本発明は、座部に対し背部がほぼ同一面状態に寝た状態では、座部に対しステップの略Ｌ字状の縦断面の縦辺部分がほぼ同一面状態に持ち上がる位置に、連動バーの取り付けがなされ、よって座部、背部、およびステップの全体がほぼ水平状態になることを特徴とする幼児用着座装置である。
【００１１】
本発明は、座部には左右に肘掛け部分が一体的に設けられ、背部には前記肘掛け部分に連続して左右に囲い部分が一体的に設けられ、ステップは略Ｌ字状の縦断面を有し、よって背部が寝た状態で、幼児の周囲が肘掛け部分、囲い部分、ヘッドレスト、およびステップのＬ字状の下辺部分により取り囲まれることを特徴とする幼児用着座装置である。
【００１２】
本発明は、座部の前方に設けられたステップは、略Ｌ字状の縦断面を有し、略Ｌ字状の縦辺部分が寸法調節可能な構成になっていることを特徴とする幼児用着座装置である。
【００１３】
本発明は、ステップは、座部に取り付けられ略Ｌ字状の上部を構成するステップ本体と、ステップ本体をガイドとして下方にスライドして伸びることができ略Ｌ字状の下部を構成するスライド部分とからなり、スライド部分には、ステップ本体に対し係合し前記スライドを阻止する係合機構、およびこの係合を解除する解除レバーが設けられたことを特徴とする幼児用着座装置である。
【００１４】
【発明の実施の形態】
以下、この発明の実施形態１を図１乃至図１８において説明する。
（全体概略）
図１乃至図７において全体の概略を説明する。
この実施形態の幼児用着座装置１は、室内で使用される幼児用椅子である。脚部３は左右に設けられ、それぞれが連結部材５によって連結され（図２及び図３）、全体として自立できる構成となっている。そして、左右の脚部３には２つのスウイングバー７が渡されている。このスウイングバー７はコの字形状を有し、コの字の開いた方を上方にして配置される。このスウイングバー７に対し、椅子部９が配置される。椅子部９はスウイングバー７の働きにより前後方向にスウィング可能となっている。
【００１５】
（椅子部９）
次に椅子部９を図１乃至図１６において説明する。
座部１１は、幼児が主に臀部を乗せる座面１３（図３乃至図６）を有し、この座面１３から左右に連続する肘掛け部１５が一体的に設けられている。肘掛け部１５にはテーブル１６が着脱可能に設けられている（図２と図３を比較参照）。この座部１１の後方に配置される背部１７は、回動軸１９回りに回動可能に設けられる。この背部１７には、前記肘掛け部分１５に連続した状態で配置され得る囲い部分２１が、左右に一体的に設けられている。この囲い部分２１の下方に前記回動軸１９が設けられている。背部１７の前面には安全ベルト２２が設けられている（図７）。座部１１の前方には、ステップ２３が回動軸２５回りに回動可能に設けられている。背部１７の上方にはヘッドレスト２７が、回動軸２９回りに回動可能に設けられている。
【００１６】
背部１７の左右の囲い部分２１の下方で前記回動軸１９が設けられる部分３１（図９及び図１１）は、板状で凸の円弧状に形成されている。この円弧状の部分３１は前記回動軸１９の周りに形成されている。この凸の円弧状の部分３１に対応して、座部１１の側の左右には、凹の円弧状の部分３３が形成され（図１１）、前記凸の円弧状の部分３１を受ける構成となっている。
【００１７】
（連動機構４５）
この凸の円弧状の部分３１は、左右にそれぞれ存在し、互いに向かい合う内側の面が、座部から露出している（図８参照）。この露出した部分には突起部３５（図１１）が形成されており、この突起部３５に回動孔３７が形成されている。この回動孔３７に対し連動バー３９の一端側が回動可能に取り付けられる。
【００１８】
すなわち連動バー３９は、全体がコの字状を有し、コの字の両先端がＬ字状に屈曲し、前記回動孔３７に回動自在に嵌合している。突起部３５が回動する範囲で、凹の円弧状の部分３３には、窪み４１が形成される。窪み４１の両端が、突起３５に当接し座部１１の回動を規制するストッパーになっている。
【００１９】
連動バー３９のコの字の中央辺は、ステップ２３の背面に回動可能に保持されている。ステップ２３の背面には回動可能に保持するための円形断面を有する溝４３（図１１）と、溝４３に保持された連動バー３９を脱落しないようにネジ止めされる保持部４４（図８）とを有する。
【００２０】
このようにして連動バー３９を有した連動機構４５が構成される。連動機構４５の働きにより、座部１１に対し背部１７が回動ずると、背部１７に取り付けられた連動バー３９がステップ２３の背面を押し、ステップ２３が所定の回動角度となる。
【００２１】
（傾動ロック機構５３）
背部１７の傾斜した状態は支持バー４７によって支持される（図５、図８、図９、及び図１０）。この支持バー４７は全体がコの字形状をしており（図８）、コの字の両先端がＬ字に屈曲され、この屈曲された部分が座部１１の穴４９（図５）に回動可能に嵌合され、嵌合された先端は、プッシュナットで止められ抜け防止が図られている。このプッシュナットは、穴４９の周囲に形成された凹部に嵌め込まれている。コ字の中央の辺は、背部１７の背面に多段に設けられた係合凹部５１に係合する（図１０）。
【００２２】
この係合を自動的に行うことで、背部１７の傾斜する動き、すなわち傾動をロックする傾動ロック機構５３が設けられる。
【００２３】
すなわち図１０に示すように、多段に設けられた前記係合凹部５１を覆う回動覆体５５が、背部１７の背面に回動軸５７周りに回動可能に取り付けられている。この回動覆体５５は、図１０中左の面が開放された箱状をしており、回動によって、係合凹部５１を取り囲んで覆う状態、および係合凹部５１から離れる状態を取り得る。この回動は、回動覆体５５の上部に設けられたハンドル部５８（図８、図１０）に指をかけておこなう。この回動覆体５５の左右の側面には、上下方向に長孔５９が形成されている。この左右の長孔５９に前記支持バー４７のコの字の中央辺が貫通し、スライド自在に保持されている。
【００２４】
そして、回動覆体５５は、係合凹部５１を覆う状態では、支持バー４７は係合凹部５１に嵌合し、離れる状態では係合凹部５１から離脱し、この離脱によって長孔５９内をスライド可能となる。
【００２５】
（ロックレバー６１）
図１０に示すように、この回動覆体５５が係合凹部５１を覆う状態にロックするためのロックレバー６１が、回動覆体５５の上方において背部に設けられる。このロックレバー６１は内筒６３と外筒６５からなり、外筒６５が背部１７に固定され、この外筒６５に対して内筒６３が回動可能となっている。内筒６３の外側先端にはヘッド６７が一体的に形成され、このヘッド６７により前記回動覆体５５の上端が押さえられ、ロックが行われる。このロック及びロックの解除は、前記ヘッド６７を回動させることで行われる。
【００２６】
（ヘッドレスト連結機構６９）
図１０に示すように、背部１７の回動角度に対応してヘッドレスト２７が最適の回動角度になるようにするためのヘッドレスト連結機構６９が設けられる。
【００２７】
すなわち、回動覆体５５の長孔５９にスライド可能に設けられた回動軸７１に、連結部材７３の一端が一体的に設けられている。この連結部材７３の他端はヘッドレスト２７の軸７４（図８）に回動可能に取り付けられている。したがって、背部１７の回動角度が大きくなり寝た状態になると、支持バー４７は長孔５９の上方にまで移動し前記連結部材７３を押す。押された連結部材７３はヘッドレスト２７を図中反時計回りに回動させる。これによりヘッドレスト２７は立った状態となり、寝た幼児の頭を外へ飛び出さないように支えることが可能となる（図７及び図９）。連結部材７３はバネ７５により長孔５９に沿って下方へ付勢されており、支持バー４７によって押されなくなると元の状態に復帰する。
【００２８】
なお、傾動ロック機構５３やヘッドレスト連結機構６９は、出願人が既に出願している出願公告公報（実公平７−２７８８７、実公平７−２７８８８）に詳しく記載されている。
【００２９】
また、座部１１の底面には２つのスウイングバー７をそれぞれ受けるための下向きの溝７７（図２、図３、図５、図８、図９、図１１）が形成されている。受けられたスウイングバー７は図示しないクリップにより溝に保持される。
【００３０】
（脚部３）
図１７及び図１８に示すように、脚部３は、上方の脚本対１１１と下方の二本の脚材１１３を有して構成される。各脚材１１３は、それぞれ下端に車輪１１５が設けられている。前側の車輪１１５は、キャスター１１７を介して設けられ走行方向を容易に変えられるようになっている。
【００３１】
後方の脚材１１３は脚本体１１１にヒンジ結合される。他方の脚材１１３はスライドバー１１９のヒンジ結合部１２１にヒンジ結合されている。ヒンジ結合部１２１に一体的に設けられたスライドバー１１９は、脚本体１１１内を前後方向にスライド可能に収納されている。
【００３２】
すなわち、スライドバー１１９には前後方向すなわち長手方向に長孔１２３が形成されている。この長孔１２３はヒンジ結合部１２１の部分にも連続して形成されている。この長孔１２３に対し、脚本体１１１に設けられ所定の間隔を開けて配置された２つのピン１２５が貫通する。このスライドバー１１９は図示しないバネにより、図１８中左方向、すなわち脚部３が伸びて高くなる方向に付勢されている。
【００３３】
スライドバー１１９は四角形断面を有する。スライドバー１１９の上面には、長手方向に複数の調節孔１２７が並んで開けられている。これらの調節孔１２７に対し差し込まれるピン１２９が脚本体側に上下動可能に設けられる。すなわち、ピン１２９はバネ１３１によって差し込み方向すなわち下方向に付勢される。また、ピン１２９の途中に拡径された部分１３３に係止するレバー１３５が設けられ、このレバー１３５は脚本体１１１の外側（組み立てられた幼児用着座装置１の左右外側）に貫通して配置される。レバー１３５はピン１２９の長手方向に上下動可能に設けられる。
【００３４】
これらの構成により、脚本体１１１の外側からレバー１３５を上方に引き上げると、バネ１３１の付勢力に抗してピン１２９が上方に移動し、調節孔１２７から外れる。ピン１２９が外れることでスライドバー１１９は図示しないバネの働きで図中左方向へ移動し、これによりＸ状に交差してヒンジ結合されている脚部３が伸び、高さが高くなる。
【００３５】
また、スライドバー１１９がスライドする途中で、レバー１３５を離せば、ピン１２９はバネ１３１の付勢力によって再び調節孔１２７に差し込まれ、脚部３は所定の高さを維持する。調節孔１２７は５個開けられ、したがって幼児用着座装置１の使用時において５段階の高さに調節が行われる。５段目の調節孔１２７（図においてピン１２９が差し込まれている調節孔）は他の調節孔１２７よりも長い長孔となっており、後述する収納状態の調節孔１２７を兼ねるものとなっている。
【００３６】
（ストッパー１４１）
脚本体１１１の底面部には脚材１１３に当接するストッパー１４１が設けられている。すなわち、脚部３のＸ状の形は強度上有利なものであるが、このＸの交差角度が小さくなりすぎると、例えば０になってしまうと、強度上の有利さが失われてしまう。このためストッパー１４１が一方の脚材１１３の上側に当接し、脚材１１３がそれ以上折り畳まれず、したがって望ましい必要最小交差角度を確保できる構造となっている。
【００３７】
本実施形態において、このストッパー１４１は、図１７に示すように、回動軸１４３回りに回動可能な構成となっている。また、このストッパー１４１はバネ１４５により図中時計回り方向、すなわち脚本体１１１と脚材１１３との間に位置しようとする方向へ付勢される。また、ストッパー１４１の外側下方には窪み１４７が設けられ、この窪み１４７に指を引き掛けて反時計回り方向へ回動し、これにより脚材１１３から離すことが可能となっている。
【００３８】
したがって通常の使用状態では、ストッパー１４１はバネ１４５の働きにより脚本体１１１と脚材１１３の間に位置し、よって脚材１１３に当接する。これにより、Ｘの交差角度が必要最小交差角度よりも小さくなることを阻止している。このようにして前述したように第一段から第五段までの高さ調節が行われる。
【００３９】
そして、幼児用着座装置１を収納する際には、ストッパー１４１に指を引っ掛けて図中反時計回り方向に回動させ、よって外側へ移動し、脚材１１３から離す。これにより脚材はより上方へ移動でき、深く折り畳まれ、脚部の高さをより低くできる。これによって収納状態のスペースをより小さくできる。この時Ｘの交差角度は非常に小さくなり、あるいは０になるものの、幼児用着座装置を使用していない状態ではそれほど大きな力が脚部に加わることなく、不都合はない。
【００４０】
この時、背部を座面に対し十分に寝かし、座部、背部、およびステップ全体がほぼ水平状態となるようにすることで、幼児用着座装置全体をより一層平でコンパクトにすることが可能である。
【００４１】
（実施形態２）
以上の実施形態１においてはステップは寸法が固定されたものであるが、図１２乃至図１６に示す実施形態２のように寸法調節可能なステップ２３を設けることも可能である。
【００４２】
このステップ２３は略Ｌ字状の縦断面を有する。そして、ステップ本体８１と、ステップ本体８１から下方にスライドして伸びることができるスライド部分８３とからなる。ステップ本体８１は、前記略Ｌ字状の上部を構成する。スライド部分８３は、ステップ本体８１をガイドとして下方に伸びることができ、略Ｌ字状の下部を構成する。スライド部分８３には、ステップ本体８１に対し係合し、スライド部分８３を支持する係合機構８５（図１４）、及びこの係合を解除する解除レバー８７が設けられる。以下詳しく説明する。
【００４３】
すなわち、ステップ本体８１は、略Ｌ字状の縦部分を構成する２枚の部材８１Ａ、８１Ｂを有する（図１４、図１５、及び図１６）。これら２枚の部材８１Ａ、８１Ｂは前後から組み合わされ、下方を開口した箱状を成す。後ろの部材８１Ｂは、複数のネジ８２（図１６）によって前の部材８１Ａに取り付けられる。スライド部分８３は、ステップ本体８１の部材８１Ａに設けられた案内ピン８９がスライド部分８３に形成された長孔９１に嵌合することで上下方向に案内される（図１４、及び図１６）。この案内ピン８９は、前記ネジ８２の一部によって固定される。後ろの部材８１Ｂの上端には、回動軸２５を取り付けるための軸受け８４が設けられる。
【００４４】
スライド部分８３の下方中央の背面には、上下動可能な解除レバー８７が設けられている。解除レバー８７の操作部８７Ａは、スライド部分８３の背面に取り付けられる背面部材８３Ｃに形成された窓８３Ｄ（図１６）から、後方に突出している。この解除レバー８７の左右には係合孔９３が形成され、この係合孔９３に対しＬ字状の係合アーム９５の一端９７が係止される。係合アーム９５はＬ字状の角部の回動軸９９回りに回動可能となっており、図中（図１４）時計回りにバネ１０１によって付勢されている。係合アーム９５のＬ字状の他端は、ステップ本体８１側に設けられたパイプ１０３に形成された係合孔１０５に係合する構成となっている。
【００４５】
このパイプ１０３はステップ本体８１内部に上下方向に配置されて固定され、長手方向に複数の係合孔１０５が設けられる。スライド部分８３にはこのパイプ１０３を抱持する筒状のホルダー部１０７が形成され、このホルダー部１０７がパイプ１０３の長手方向にスライドして、スライド部分８３がステップ本体８１から下方に伸びることができる。
【００４６】
このステップ２３の寸法の調節の動作を図１４及び図１６を中心に説明する。解除レバー８７を下方に引くと、この解除レバー８７に引っ張られて係合アーム９５が図中（図１４）反時計回りに回動し、係合アーム９５の他端がステップ本体８１のパイプ１０３の係合孔１０５から外れる。この状態でスライド部分８３はステップ本体８１から下方にスライドして伸びることができる。このスライドによりステップ２３の縦辺部分の寸法が所望の長さになった際に、前記解除レバー８７を離すと、バネ１０１の働きにより係合アーム９５は再び元の位置に戻り、パイプ１０３の係合孔１０５に係合する。これによってステップ２３の寸法は調節される。
【００４７】
（他の実施形態）
以上の実施形態２においては寸法調節可能なステップ２３は、ステップ本体８１に係合孔１０５を有するパイプ１０３が設けられ、スライド部分８３にこの係合孔１０５に係合する係合アーム９５が設けられたが、他の実施形態においては、このパイプ１０３と係合アーム９５との関係を逆にすることができる。すなわちスライド部分８３にパイプ１０３を設け、ステップ本体８１に係合アーム９５を設けることも可能である。
【００４８】
また、ステップ本体８１に対するスライド部分８３を支持する係合機構は、パイプ１０３と係合アーム９５によるもの以外にも種々のものが考えられる。
【００４９】
たとえば、解除レバー８７自体に爪（図示せず）を設け、この爪に係合する複数の係合溝をステップ本体８１側に上下方向に並べて形成することが可能である。解除レバー８７はバネ（図示せず）により係合溝に係合する方向に付勢されるものとする。そして、この付勢力に抗して解除レバー８７を解除させ係合溝から外すことでスライドを可能なものにできる。
【００５０】
また、以上の実施形態１においては、連動バー３９の一端側が回動可能に取り付けられる背部１７の下方は凸の円弧状に形成され、同様に凹の円弧状に形成された座部１１の側に受けられるものであったが、他の実施形態においては必ずしもこのような形態にする必要はなく、いずれか一方の短円筒状のボス部が、他方に形成された短円筒状の凹部に嵌合して回動可能となるものであっても良い。この場合には回動穴３７は、短円筒状のボス部付近の別の部分に設けられることとなる。
【００５１】
また、以上の実施形態１においては連動バー３９は全体がコの字状を有するものであったが、他の実施形態においては連動バー３９はコの字状ではなく、直線状のものが２本左右に設けられるものとしても良い。
【００５２】
また、以上の実施形態１においては、ヘッドレスト２７が背部１７の回動角度にしたがって回動するものであったが、他の実施形態においてはヘッドレスト２７は背部１７に対し所定の角度で傾斜して固定状態で設けられるものとしても良い。
【００５３】
【発明の効果】
以上説明したように、本発明によれば、背部が回動すると、背部の下方に取り付けられた連動バーが、ステップの背面を押しステップを回動させるので、座部に対する背部の回動角度に対応して座部に対するステップの回動角度をもっとも適したものにすることができうる。よって、幼児の姿勢を常に快適な状態に保持することが可能となる。
本発明では、更に、連動バーをより簡単な構造で強固に構成することが可能である。
【００５４】
本発明では、更に、連動バーが取り付けられる背部の下方が円弧状に形成されることで、十分な強度を有し、各座部の凹の円弧状に形成された部分に受けられることにより、背部の回動に伴う大きな力を十分に受けることが可能である。
【００５５】
また本発明では、更に、座部、背部、及びステップの全体がほぼ水平状態になることで幼児用着座装置にベットの機能を持たせることが可能となる。
ステップを含めて全体がほぼ水平状態になることで、従来のように幼児を寝かせるために座部の前方から補助スライド部分をスライドさせる必要がない。
【００５６】
本発明では、更に、背部が寝た状態で、幼児の周囲が肘掛け部分、囲い部分、ヘッドレスト及びステップのＬ字状の可変部分により取り囲まれることになり、より安全性を高めることが可能となる。
【００５７】
本発明では、更に、幼児の身体の発育に合わせてステップの寸法を調整することが可能となり、幼児の姿勢をより適した状態に保持することが可能となる。
【００５８】
本発明では、更に、解除レバーの操作によりステップ本体からスライド部分をスライドさせることができ、寸法調節を容易に行うことができる。
【図面の簡単な説明】
【図１】この発明の一実施形態にかかる幼児用着座装置の全体斜視図である。
【図２】図１において脚部と椅子部を分離した状態を示す図である。
【図３】図２において椅子部からテーブルを取り外した状態を示す図である。
【図４】図３において脚部と椅子部を組み合わせた状態を示す図である。
【図５】図４の側面図である。
【図６】図４の正面図である。
【図７】図４において背部を寝かせた状態を示す図である。
【図８】図３の椅子部を後方下側からみた斜視図である。
【図９】図７の椅子部の側面図である。
【図１０】図５の椅子部の上部の要部を示す拡大図である。
【図１１】図５の椅子部の下部の要部を示す拡大図である。
【図１２】図１のステップの他の実施形態を示す斜視図である。
【図１３】図１２の動作を示す図である。
【図１４】図１２の縦断面正面図である。
【図１５】図１４の縦断面側面図である。
【図１６】図１４を後方から見た分解斜視図である。
【図１７】図２または図３の左右の脚部のうち一方の脚部を示し、脚部の高さが５段目の状態になった図である。
【図１８】図１７の要部拡大側面図である。
【符号の説明】
３  脚部
７  スウイングバー
９  椅子部
１１  座部
１５  肘掛け部
１７  背部
１９、２５、２９  回動軸
２１  囲い部分
２３  ステップ
２７  ヘッドレスト
３９  連動バー
４５  連動機構
４７  支持バー
５１  係合凹部
５３  傾動ロック機構
５５  回動覆体
５９  長孔
６１  ロックレバー
６９  ヘッドレスト連結機構
７３  連結部材
８１  ステップ本体
８５  係合機構
８７  解除レバー
１１３  脚材
１１５  車輪
１１９  スライドバー
１２１  ヒンジ結合部分
１２７  調節孔
１２９  ピン
１３１  バネ
１３５  レバー
１４１  ストッパー
【図１】
0003631164.tif 000002
【図２】
0003631164.tif 000003
【図３】
0003631164.tif 000004
【図４】
0003631164.tif 000005
【図５】
0003631164.tif 000006
【図６】
0003631164.tif 000007
【図７】
0003631164.tif 000008
【図８】
0003631164.tif 000009
【図９】
0003631164.tif 000010
【図１０】
0003631164.tif 000011
【図１１】
0003631164.tif 000012
【図１２】
0003631164.tif 000013
【図１３】
0003631164.tif 000014
【図１４】
0003631164.tif 000015
【図１５】
0003631164.tif 000016
【図１６】
0003631164.tif 000017
【図１７】
0003631164.tif 000018
【図１８】
0003631164.tif 000019